(57)【要約】  ロッドが連結される回転部材を有するリンクユニットを設置面に簡単に取付けできる開閉体のロック装置を提供する。このロック装置１０は、ロック部と、一対のロッド２０，２０と、ロック部からロッド２０を係脱操作する操作ユニット３０と、操作ユニット３０とは別体であって、ベース部５０及び回転部材７０を有するリンクユニット４０とを有し、開閉体５は、リンクユニット４０を設置させる設置面７を有し、設置面７にリンクユニット４０を係合させる保持部８０が設けられており、ベース部５０は、撓み可能な弾性係合片６５が形成されており、弾性係合片６５が保持部８０に係合することで、ベース部５０が設置面７に設置される。
2017090545.tif 000002
【特許請求の範囲】
【請求項１】
固定体の開口部に開閉可能に取付けられる開閉体のロック装置であって、
前記固定体の開口部又は開閉体のどちらか一方に設けられたロック部と、
前記固定体又は前記開閉体のどちらか他方に配置され、前記ロック部に係脱する一対のロッドと、
前記ロック部から前記ロッドを係脱操作する操作ユニットと、
該操作ユニットとは別体であって、ベース部、及び、該ベース部に支持部を介して回転可能に支持されると共に、前記一対のロッドが連結される回転部材を有するリンクユニットとを有し、
前記開閉体又は前記固定体は、前記リンクユニットを設置させる設置面を有し、該設置面に前記リンクユニットを保持する保持部が設けられており、
前記ベース部又は前記保持部の一方に、撓み可能な弾性係合片が形成されており、該弾性係合片が、前記ベース部又は前記保持部の他方に係合することで、前記ベース部が前記設置面に設置されることを特徴とする開閉体のロック装置。
【請求項２】
前記開閉体又は前記固定体の保持部は、一対の支持壁を有しており、
前記ベース部は、前記一対の支持壁の内側に配置される一対の支持片を有しており、
前記設置面に対して面直方向に前記ベース部を抜け止めするための抜け止め部が前記一対の支持壁及び前記一対の支持片に設けられている請求項１記載の開閉体のロック装置。
【請求項３】
前記ベース部は、前記ロッドが配置される底面を有しており、
前記設置面に対して面直方向に前記ベース部を抜け止めするための規制面を有する抜け止め部が、前記ベース部の底面以上で、かつ、前記ロッドの天井面以下となる位置に設けられている請求項１又は２記載の開閉体のロック装置。
【請求項４】
前記ベース部の一対の支持片は、前記一対のロッドが、前記回転部材の回転に伴ってスライドするときのガイドをなすように構成されている請求項２記載の開閉体のロック装置。
【請求項５】
前記支持壁に凹部又は孔部が形成されており、
前記弾性係合片は、前記支持片に形成されて、前記凹部又は孔部に係合すると共に、前記一対の支持片の間に配置されるロッドにより、撓みが規制されるように設けられている請求項２記載の開閉体のロック装置。
【請求項６】
前記開閉体又は前記固定体の保持部は、前記設置面の面直方向に対して交差する方向から、前記ベース部を受入れる、受入れ部を有しており、
前記弾性係合片は、前記ベース部の底面側に形成されており、前記保持部の受入れ部に、前記ベース部が挿入されたときに、前記保持部の受入れ部の内側に係合して、前記受入れ部から前記ベース部を抜け止めするように構成されている請求項２〜４のいずれか１つに記載の開閉体のロック装置。
【発明の詳細な説明】
【技術分野】
【０００１】
本発明は、固定体の開口部に開閉可能に取付けられる開閉体を、閉じた状態にロックするための、開閉体のロック装置に関する。
【背景技術】
【０００２】
例えば、自動車のグローブボックス等の固定体に形成された開口部には、リッド等の開閉体が開閉可能に取付けられている。そして、開口部と開閉体との間には、開閉体を閉じたときにロックすると共に、開閉体を開くときにはロックを解除できるようにしたロック装置が設けられている。【０００３】
このようなロック装置として、例えば、下記特許文献１には、グローブボックスの開口部の左右両側に設けた一対のロック部と、リッドに設置され、基端側にラック溝を設けた一対のロッドと、インストルメントパネルの運転席寄りに配置され、プッシュ式のノブを備えた操作部と、前記一対のロッドのラック溝に歯合して、両ロッドを同期してスライドさせるギヤを回転可能に支持する支持板と、一方のロッドをロック部側に付勢するバネとを備えた、グローブボックス用開閉ロック装置が記載されている。このロック装置においては、ロッドを操作する操作部と、ロッドをスライドさせるギヤ及びそれを支持する支持板とは、別体とされており、また、ギヤを支持する支持板は、複数のビスやネジ等によって、リッドにネジ止めされて固定されている。
【先行技術文献】
【特許文献】
【０００４】
【特許文献１】特開２００５−１０４１９２号公報
【発明の概要】
【発明が解決しようとする課題】
【０００５】
しかしながら、上記のグローブボックス用ロック装置においては、一対のロッドのロック溝に歯合するギヤを回転支持する支持板を、リッドに対して複数のビスやネジ等でネジ止め固定して取付けるため、作業が煩雑で面倒であった。【０００６】
したがって、本発明の目的は、ロッドが連結される回転部材を有するリンクユニットを、固定体又は開閉体の設置面に簡単に取付けることができる、開閉体のロック装置を提供することにある。
【課題を解決するための手段】
【０００７】
上記目的を達成するため、本発明は、固定体の開口部に開閉可能に取付けられる開閉体のロック装置であって、前記固定体の開口部又は開閉体のどちらか一方に設けられたロック部と、前記固定体又は前記開閉体のどちらか他方に配置され、前記ロック部に係脱する一対のロッドと、前記ロック部から前記ロッドを係脱操作する操作ユニットと、該操作ユニットとは別体であって、ベース部、及び、該ベース部に支持部を介して回転可能に支持されると共に、前記一対のロッドが連結される回転部材を有するリンクユニットとを有し、前記開閉体又は前記固定体は、前記リンクユニットを設置させる設置面を有し、該設置面に前記リンクユニットを保持する保持部が設けられており、前記ベース部又は前記保持部の一方に、撓み可能な弾性係合片が形成されており、該弾性係合片が、前記ベース部又は前記保持部の他方に係合することで、前記ベース部が前記設置面に設置されることを特徴とする。【０００８】
本発明の開閉体のロック装置においては、前記開閉体又は前記固定体の保持部は、一対の支持壁を有しており、前記ベース部は、前記一対の支持壁の内側に配置される一対の支持片を有しており、前記設置面に対して面直方向に前記ベース部を抜け止めするための抜け止め部が前記一対の支持壁及び前記一対の支持片に設けられていることが好ましい。【０００９】
本発明の開閉体のロック装置においては、前記ベース部は、前記ロッドが配置される底面を有しており、前記設置面に対して面直方向に前記ベース部を抜け止めするための規制面を有する抜け止め部が、前記ベース部の底面以上で、かつ、前記ロッドの天井面以下となる位置に設けられていることが好ましい。【００１０】
本発明の開閉体のロック装置においては、前記ベース部の一対の支持片は、前記一対のロッドが、前記回転部材の回転に伴ってスライドするときのガイドをなすように構成されていることが好ましい。【００１１】
本発明の開閉体のロック装置においては、前記支持壁に凹部又は孔部が形成されており、前記弾性係合片は、前記支持片に形成されて、前記凹部又は孔部に係合すると共に、前記一対の支持片の間に配置されるロッドにより、撓みが規制されるように設けられていることが好ましい。【００１２】
本発明の開閉体のロック装置においては、前記開閉体又は前記固定体の保持部は、前記設置面の面直方向に対して交差する方向から、前記ベース部を受入れる、受入れ部を有しており、前記弾性係合片は、前記ベース部の底面側に形成されており、前記保持部の受入れ部に、前記ベース部が挿入されたときに、前記保持部の受入れ部の内側に係合して、前記受入れ部から前記ベース部を抜け止めするように構成されていることが好ましい。
【発明の効果】
【００１３】
本発明によれば、操作ユニットとは別体とされたリンクユニットを、固定体又は開閉体の設置面に配置して、ベース部又は保持部の一方に設けた弾性係合片を、ベース部又は保持部の他方に係合させるだけの簡単な作業によって、設置面にリンクユニットを取付けることができ、ビス止め等で取付ける場合に比べて、リンクユニットの取付け作業を容易に行うことができる。また、リンクユニットを操作ユニットとは別体で設けたことにより、レイアウトの自由度を高め、ロック装置の設置スペースを薄型化することができる。
【図面の簡単な説明】
【００１４】
【図１】本発明に係る開閉体のロック装置の、第１実施形態を示す分解斜視図である。
【図２】同ロック装置の説明図である。
【図３】同ロック装置を構成する操作ユニットの説明図である。
【図４】同ロック装置を構成するリンクユニットの分解斜視図である。
【図５】同ロック装置において、設置面にリンクユニットを取付ける際の斜視図である。
【図６】同ロック装置において、ロッドを回転部材に取付けていない状態における、図２のＡ−Ａ矢示線における断面図である。
【図７】図２のＡ−Ａ矢示線における断面図である。
【図８】同ロック装置において、開閉体を閉じた状態を示す説明図である。
【図９】本発明に係る開閉体のロック装置の、第２実施形態を示す要部拡大分解斜視図である。
【図１０】同ロック装置の説明図である。
【図１１】同ロック装置を構成するリンクユニットの、ベース部を示す斜視図である。
【図１２】図１０のＢ−Ｂ矢示線における断面図である。
【図１３】図１０のＣ−Ｃ矢示線における断面図である。
【図１４】図１０のＤ−Ｄ矢示線における断面図である。
【図１５】本発明に係る開閉体のロック装置の、第３実施形態を示す要部拡大説明図である。
【図１６】図１５のＥ−Ｅ矢示線における断面図である。
【図１７】本発明に係る開閉体のロック装置の、第４実施形態を示す要部拡大断面図である。
【図１８】本発明に係る開閉体のロック装置の、第５実施形態を示す要部拡大断面図である。
【発明を実施するための形態】
【００１５】
以下、図１〜８を参照して、本発明に係る開閉体のロック装置の、第１実施形態について説明する。
【００１６】
図２に示すように、この実施形態における開閉体のロック装置１０（以下、「ロック装置１０」という）は、例えば、車両のインストルメントパネルに設けられたグローブボックス等の、固定体１の開口部２に、開閉可能に取付けられる開閉体５を、開閉ロックするために用いられるものである。
【００１７】
なお、開閉体のロック装置としては、例えば、インストルメントパネルの開口部に箱状のグローブボックスが回動可能に取付けられた構造に適用したり（この場合、インストルメントパネルが「固定体」、グローブボックスが「開閉体」をなす）、或いは、インストルメントパネルの開口部にリッドが開閉可能に取付けられた構造（この場合、インストルメントパネルが「固定体」、リッドが「開閉体」をなす）に適用したりしてもよく、固定体の開口部を開閉する各種の開閉体に広く用いることができる。
【００１８】
図２に示すように、この実施形態では、固定体１の開口部２の内面に、凹状のロック部３，３が設けられている。なお、ロック部は、凹状でなくとも、孔状や、突起状、枠状等であってもよく、また、固定体ではなく、開閉体に設けてもよく、特に限定はされない。
【００１９】
そして、図１及び図２に示すように、この実施形態のロック装置１０は、開閉体５に配置され、ロック部３，３に係脱する一対のロッド２０，２０と、ロック部３からロッド２０を係脱操作する操作ユニット３０と、該操作ユニット３０とは別体であって、ベース部５０、及び、ベース部５０に支持部を介して回転可能に支持されると共に、一対のロッド２０，２０が連結される回転部材７０を有するリンクユニット４０とを有している。また、回転部材７０を回転付勢して、ロッド２０，２０をロック部３，３側に向けて付勢する、トーションバネからなる付勢バネ２５を有している。
【００２０】
また、図１及び図２に示すように、この実施形態の開閉体５は、横長板状をなしていると共に、リンクユニット４０を設置させる設置面７を有しており、該設置面７にリンクユニット４０を保持する保持部８０が設けられている。
【００２１】
図５を併せて参照すると、この実施形態における保持部８０は、対向して配置された一対の支持壁８１，８１を有している。各支持壁８１は、設置面７から所定長さで立設した細長板状をなしている。また、支持壁８１は、その幅方向両側に直交して連結された側壁８３，８３を有していると共に、各側壁８３の外面所定位置から、外方に延出した延出壁８４，８４を有している。なお、この保持部８０においては、一対の支持壁８１，８１が互いに平行となるように配置され、かつ、各支持壁８１の側壁８３，８３どうしが互いに離れる向きとなるように配置されている。また、各支持壁８１の上方側には、矩形状（ここでは四角形）の孔部８５が形成されている。
【００２２】
そして、図６に示すように、一対の支持壁８１，８１の孔部８５，８５に、リンクユニット４０のベース部５０の後述する弾性係合片６５，６５が係合して、設置面７にリンクユニット４０が設置される。
【００２３】
なお、保持部を構成する支持壁としては、リンクユニットを保持可能な形状であれば、その形状や構造は特に限定されない。また、この実施形態の支持壁８１は、その上方側に孔部８５を設けて、開閉体５の設置面７に対して所定隙間を介して、支持壁上方側でリンクユニット４０が設置されているが、支持壁８１を短く形成して、リンクユニット４０のベース部５０を設置面７に当接した状態で設置させても勿論よい。なお、支持壁には、孔部ではなく、貫通しない凹部を形成してもよく、弾性係合片を係合可能であればよい。
【００２４】
また、この実施形態では、開閉体５側の設置面７をリンクユニット４０を設置させる設置面としたが、固定体１側の設置面をリンクユニット４０を設置させる設置面としてもよい。
【００２５】
図１及び図２に示すように、各ロッド２０は、両者同一形状であって、その軸方向途中がクランク状に屈曲した形状をなしており、その先端部２１がロック部３に係脱する。また、各ロッド２０の基部２２側には、連結凹部２２ａが形成されており、該連結凹部２２ａに、回転部材７０の後述するロッド連結部７７が連結されて、回転部材７０に一対のロッド２０，２０が連結される。
【００２６】
また、各ロッド２０の先端部２１寄りの位置には、枠状部２３が形成されている。図２に示すように、一方の枠状部２３内には、開閉体５の設置面７から突設したガイド突起７ａが入り込んで、ロッド２０のスライド動作がガイドされる。他方の枠状部２３内には、操作ユニット３０の操作片３３ａ（図２及び図３参照）が入り込んで、ロッド２０がスライド操作される。なお、ロッド２０は、ベース部５０の底面５１ａ上に配置されるが（図７参照）、ロッド２０の、底面５１ａ側とは反対側の面が、天井面２６をなしている。
【００２７】
また、ロッドの形状や構造等は特に限定されない。更に、この実施形態のロッド２０は、開閉体側に配置されているが、固定体側に配置されていてもよい。
【００２８】
次に、操作ユニット３０について説明する。
【００２９】
図２及び図３に示すように、この操作ユニット３０は、リンクユニット４０と別体で設けられているものであって、この実施形態の場合、開閉体５に固定される固定体３１と、該固定体３１に、開閉体５の面方向に対して近接離反するように取付けられる操作ノブ３３とからなる。操作ノブ３３には、操作片３３ａが設けられており、これが他方のロッド２０の枠状部２３内に入り込んで、該ロッド２０をスライド操作するようになっている（図２及び図３参照）。
【００３０】
なお、操作ユニット３０は、例えば、開閉体や固定体の面方向に沿って回転する回転ノブや回転ハンドル、或いは、面方向に対して押し込むプッシュ式のものとしてもよく、ロック部３からロッド２０を係脱操作可能であれば、その構造は特に限定されない。また、操作ユニット３０は、固定体側に取付けられていてもよい。
【００３１】
次に、リンクユニット４０について説明する。
【００３２】
まず、図４を参照してベース部５０について説明する。このベース部５０には、撓み可能な弾性係合片６５が形成されており、該弾性係合片６５が設置面７に設けた保持部８０に係合することで、ベース部５０が設置面７に設置されるように構成されている（図６参照）。
【００３３】
図４に示すように、この実施形態のベース部５０は、略円板状をなした底部５１を有している。この底部５１の一方の面が、前記一対のロッド２０，２０が配置される底面５１ａをなしている。
【００３４】
また、底部５１の底面５１ａの中心から、回転部材７０を回転可能に支持するための、軸部５４が突設されている。該軸部５４は、基部側が先端側よりも拡径しており、基部側外周には、付勢バネ２５の一端が挿入係止されるバネ係止溝５４ａが形成されている。また、軸部５４の先端外周からは、一対の突起５４ｂ，５４ｂが突設されており、ベース部５０に対して回転部材７０を抜け止め保持する。
【００３５】
更に、図４及び後述する実施形態の図１５に示すように、底部５１の、軸部５４の外周には、スリットを介して撓み可能な回転規制爪５３が形成されており、これが回転部材７０の所定箇所に係止して、同回転部材７０の回転規制を図っている。
【００３６】
また、前記底部５１の外周であって、周方向に対向する箇所には、一対の延出部５２，５２が設けられており、該延出部５２，５２を介して、一対の支持片６１，６１が互いに平行となるように立設されている。これらの一対の支持片６１，６１が、保持部８０を構成する一対の支持壁８１，８１の内側に配置される（図６参照）。なお、この実施形態の場合、一対の支持片６１,６１の外面どうしの距離は、前記一対の支持壁８１，８１の内面間の距離に適合するように設定されている（図６参照）。
【００３７】
更に、一対の支持片６１，６１は、回転部材７０に一対のロッド２０，２０が連結されたとき、該一対のロッド２０，２０の外面側に配置されて（図２及び図７参照）、一対のロッド２０，２０が回転部材７０の回転に伴ってスライドするときのガイドをなすようにも構成されている。
【００３８】
また、各支持片６１の外面側には、その幅方向周縁に沿って延びる側壁６２，６２と、これらの側壁６２，６２の上端（底面５１ａから離れた端部）に連結された天井壁６３とが形成されており、これらにより下方（底面５１ａ側）及び側方が開口した略コ字枠状をなしている。なお、一対の側壁６２，６２の間隔は、前記保持部８０の支持壁８１の幅に適合した距離とされている（図５参照）。
【００３９】
そして、一対の側壁６２，６２の間に、保持部８０を構成する支持壁８１の先端部側が挿入されることで、支持片６１の設置面７の面方向側の位置ずれが防止されると共に、支持壁８１の先端部が天井壁６３に係止して支持片６１が支持される（図５及び図６参照）。
【００４０】
更に、各支持片６１には、略コ字状をなしたスリット６１ａを介して、撓み可能な弾性係合片６５が形成されている。この弾性係合片６５は、その基部側が前記延出部５２に連結され、自由端側を天井壁６３側に向けて形成されている。また、各弾性係合片６５の外面側には、係合突部６６が突設されており、該係合突部６６の規制面６６ａ（天井壁６３側６３に向く面）が、保持部８０の支持壁８１の孔部８５の規制面８５ａ（支持壁８１の立設方向先端側の内周面）に係合して、設置面７に対して面直方向にベース部５０を抜け止めする（図６参照）。
【００４１】
すなわち、この実施形態においては、弾性係合片６５の係合突部６６、及び、保持部８０の支持壁８１の孔部８５が、本発明における、設置面に対して面直方向にベース部を抜け止めするための「抜け止め部」をなしている。また、この抜け止め部の「規制面」、すなわち、弾性係合片６５の係合突部６６の規制面６６ａ、及び、支持壁８１の孔部８５の規制面８５ａは、図７に示すように、ベース部５０の底面５１ａ以上で、かつ、ロッド２０の天井面２６以下となる位置に、設けられている。
【００４２】
また、各弾性係合片６５は、一対の支持片６１，６１の間に配置されるロッド２０，２０により、その撓みが規制されるように設けられている。ここでは、図７に示すように、回転部材７０に一対のロッド２０，２０が連結されて、一対の支持片６１，６１の間にロッド２０，２０が配置されたとき、一対の弾性係合片６５，６５が、一対のロッド２０，２０の外面側に当接又は近接して配置されるようになっており、このロッド２０によって弾性係合片６５の撓みが規制される。
【００４３】
なお、上記の弾性係合片の形状は、上記態様に限定されるものではなく、保持部に係合可能であればよい。また、弾性係合片は孔部ではなく、凹部に係合する態様でも構わない。更に、この実施形態においては、弾性係合片は、ベース部に設けられているが、開閉体又は固定体の設置面に設けられた保持部に形成してもよい。この場合、保持部に設けられた弾性係合片は、ベース部に係合することとなる（この態様については、後述の実施形態で説明する）。更に、上記「抜け止め部」としては、例えば、ベース部の支持片側に凹部や孔部を設け、開閉体又は固定体に形成される保持部側に弾性係合片を設けたりしてもよく（この態様については後述する）、設置面に対して、ベース部を面直方向に抜け止め可能であれば、特に限定はされない。
【００４４】
また、この実施形態においては、弾性係合片６５が設置面７に設けた保持部８０に係合することで、ベース部５０が設置面７に設置されるが、本発明における「ベース部が設置面に設置される」とは、ベース部が設置面上に当接して設置される場合や、本実施形態のように、ベース部５０が設置面７に当接せず、所定隙間を介して離間して設置された場合（図７参照）、更に図１６に示すように、ベース部の底面が、設置面とは反対側に向いて設置された場合も含むものであり、ベース部が設置面に対して動かないように固定された状態で設置されることを意味している。
【００４５】
次に、回転部材７０について説明する。図４に示すように、この実施形態の回転部材７０は、上方側に天井板７２を設けた略円筒状をなした本体７１と、該本体７１の基端開口側周縁であって、周方向に対向する箇所から外方に延設した一対の延出片７５，７５と、各延出片７５の表面から前記天井板７２側に向けて突出し、前記ロッド２０の連結凹部２２ａに挿入されて連結する、略球状のロッド連結部７７，７７とを有している。
【００４６】
なお、各ロッド連結部７７が、各ロッド２０の連結凹部２２ａに挿入されて連結された状態では、各ロッド２０は、その長さ方向には遊びがなく、且つ、長さ方向に直交する方向に所定の遊びを有するように連結されるようになっている。
【００４７】
また、前記天井板７２の中央には、溝７３ａ，７３ａを有する軸孔７３が形成されている。この溝７３ａ，７３ａに軸部５４の突起５４ｂ，５４ｂを整合させて、軸孔７３に軸部５４を挿通し、回転部材７０を回転させることで、ベース部５０に対して回転部材７０が回転可能に支持され且つ抜け止め状態で装着される。すなわち、軸孔７３と軸部５４とが、本発明における「支持部」をなしている。なお、この支持部としては、例えば、軸部を回転部材側に設け、軸孔をベース部側に設けてもよく、ベース部に対して回転部材を回転可能に支持可能であれば、特に限定はされない。
【００４８】
また、上記のように、ベース部５０に回転部材７０を抜け止めされて装着された状態では、本体７１の周壁と、前記一対の支持片６１，６１とが、ロッド２０，２０を受け入れ可能な隙間を介して対向配置されるようになっており（図６参照）、ベース部５０の底面５１ａに対して面直方向から、ロッド２０，２０を差し込み可能となっている。
【００４９】
また、天井板７２の、軸孔７３の外周位置には、付勢バネ２５の他端を係止するバネ係止片７４が形成されている。
【００５０】
更に回転部材７０は、付勢バネ２５によって、図２の矢印Ｆ方向に回転付勢されており、これによって、回転部材７０に連結された一対のロッド２０，２０が、一対のロック部３，３に係合する方向に付勢されている。また、回転部材７０に連結された一対のロッド２０，２０は、同期してスライド動作するようになっており、一方のロッド２０がスライドした場合には、それに連動して他方のロッド２０もスライドする。
【００５１】
なお、一対のロッドをスライド動作させる回転部材としては、本実施形態のような回転部材７０のみならず、例えば、ピニオンギヤを採用すると共に、一対のロッドにラック溝をそれぞれ形成しておき、このラック溝に前記ピニオンギヤに歯合させて、一方のロッドをスライドさせることで、ピニオンギヤを介して他方のロッドをスライドさせるようにしてもよく、特に限定はされない。
【００５２】
次に、上記構成からなるロック装置１０の作用効果について説明する。
【００５３】
まず、リンクユニット４０の組付け手順につて説明する。すなわち、付勢バネ２５の一端を、ベース部５０のバネ係止溝５４ａに係止させると共に、同付勢バネ２５の他端を、回転部材７０のバネ係止片７４に係止させた後、付勢バネ２５の回転付勢力に抗して、回転部材７０の溝７３ａ，７３ａに軸部５４の突起５４ｂ，５４ｂを整合させ、軸孔７３に軸部５４を挿通させることで、付勢バネ２５により回転部材７０が回転付勢されて、軸部５４の突起５４ｂが軸孔７３の表側周縁に位置するので、ベース部５０に回転部材７０が回転可能に且つ抜け止め状態で装着されて、図５に示すリンクユニット４０が構成される。
【００５４】
そして、図５に示すように、ベース部５０の一対の支持片６１，６１を、保持部８０の一対の支持壁８１，８１の内側に整合するように配置し、その状態で、リンクユニット４０を開閉体５の設置面７に対して近づけていく。すると、支持片外面の一対の側壁６２，６２の間に、支持壁８１の先端部側が挿入されると共に、弾性係合片６５の外面が支持壁８１に押圧されて、弾性係合片６５が撓んでいき、その係合突部６６が支持壁８１の孔部８５に至ると、弾性係合片６５が弾性復帰して、係合突部６６の規制面６６ａが孔部８５の規制面８５ａに係合し、保持部８０に弾性係合片６５が係合すると共に、支持壁８１の先端部が支持片６１の天井壁６３に係止する（図６参照）。
【００５５】
この状態では、支持片６１の一対の側壁６２，６２の間に、支持壁８１が入り込むことで、リンクユニット４０の、設置面７の面方向への位置ずれを防止できると共に、弾性係合片６５の係合突部６６が支持壁８１の孔部８５に係合することで、リンクユニット４０を、設置面７の面直方向に対して抜け止めすることができる。
【００５６】
上記のように、リンクユニット４０が設置面７に設置された状態で、ベース部５０の底面５１ａに対して面直方向から、本体７１の周壁と一対の支持片６１，６１との隙間に、一対のロッド２０，２０をそれぞれ差し込んで、ロッド２０の連結凹部２２ａに、回転部材７０のロッド連結部７７を連結させることで、一対のロッド２０，２０が回転部材７０に連結される。
【００５７】
そして、このロック装置１０によれば、操作ユニット３０とは別体とされたリンクユニット４０を、開閉体５の設置面７に配置して、ベース部５０に設けた弾性係合片６５を、設置面７に設けた保持部８０に係合させるだけの簡単な作業によって、設置面７にリンクユニット４０を取付けることができ、ビス止め等で取付ける場合に比べて、リンクユニット４０の取付け作業を容易に行うことができる。また、リンクユニット４０を操作ユニット３０とは別体で設けたことにより、レイアウトの自由度を高め、ロック装置１０の設置スペースを薄型化することができる。
【００５８】
また、この実施形態においては、図６に示すように、保持部８０の一対の支持壁８１，８１の内側に、ベース部５０の一対の支持片６１，６１が配置され、これらに上記抜け止め部が設けられているので、一対の支持壁８１，８１と一対の支持片６１，６１とがガタ付くことを抑制しつつ、ベース部５０の抜け止めを図ることができる。
【００５９】
更に、この実施形態においては、図６に示すように、設置面７に対して面直方向にベース部５０を抜け止めするための、規制面（ここでは係合突部６６の規制面６６ａ及び孔部８５の規制面８５ａ）を有する抜け止め部（ここでは弾性係合片６５の係合突部６６及び支持壁８１の孔部８５）が、ベース部５０の底面５１ａ以上で、かつ、ロッド２０の天井面２６以下となる位置に設けられているので、抜け止め部と、ロッド２０の配置スペースとを、リンクユニット４０の厚さ方向でラップさせて配置でき、それによってリンクユニット４０を薄くすることができ、コンパクト化を図ることができる。
【００６０】
また、この実施形態においては、ベース部５０の一対の支持片６１，６１が、一対のロッド２０，２０の外面側に配置されて（図７参照）、一対のロッド２０，２０が、回転部材７０の回転に伴ってスライドするときのガイドをなすようにも構成されているので、一対の支持片６１，６１を利用してベース部５０の抜け止めを図りつつ、一対のロッド２０，２０のスライドガイド構造を簡単に設けることができる。
【００６１】
更に、この実施形態においては、弾性係合片６５は、支持片６１に形成されて、凹部又は孔部（ここでは孔部８５）に係合すると共に、一対の支持片６１，６１の間に配置されるロッド２０により、その撓みが規制されるように設けられているので、図７に示すように、設置面７にベース部５０が抜け止めされた状態で、回転部材７０にロッド２０を連結させると、弾性係合片６５の撓みを規制することができ、保持部８０に対する弾性係合片６５の係合強度を高めて、設置面７に対するリンクユニット４０の取付け強度を向上させることができる。
【００６２】
なお、このロック装置１０においては、固定体１の開口部２に対して開閉体５を閉じて、一対のロッド２０，２０の先端部２１，２１が、固定体１側の一対のロック部３，３に係合することで、開閉体５が閉じた状態にロックされる（図２参照）。この状態から操作ユニット３０の操作ノブ３３を操作して、操作片３３ａを介して一方のロッド２０が開閉体５の内方に引き込まれると、回転部材７０を介して他方のロッド２０も開閉体５の内方に引き込まれて、一対のロッド２０，２０の先端部２１，２１と、一対のロック部３，３との係合が解除されて、固定体１の開口部２から開閉体５を開くことができる（図８参照）。
【００６３】
図９〜１４には、本発明に係る開閉体のロック装置の、第２実施形態が示されている。なお、前記実施形態と実質的に同一部分には同符号を付してその説明を省略する。
【００６４】
図９に示すように、この実施形態の開閉体のロック装置１０Ａ（以下、「ロック装置１０Ａ」）は、保持部の構造が前記実施形態と異なっている。
【００６５】
すなわち、図９に示すように、この実施形態の保持部９０は、設置面７の面直方向に対して交差する方向からベース部５０を受入れる、受入れ部９５を有している。
【００６６】
詳述すると、この保持部９０は、開閉体５の設置面７から、対向して配置された一対の支持壁９１，９１を有している。また、一対の支持壁９１，９１は、その上端部に、互いに近づく方向に向けて突出する係止壁９２，９２を有している。更に、一対の支持壁９１，９１の、リンクユニット４０の受入れ方向前方側の一側部には、側壁９３，９３がそれぞれ形成されており、前記係止壁９２，９２と合わせて、一対の支持壁９１，９１の内面側に凹部が形成されている。また、一対の支持壁９１，９１の内面間の距離は、リンクユニット４０の、一対の支持片６１，６１の側壁６２，６２の、外方への突出端面どうしの距離に、適合するように設定されている（図１２参照）。なお、各支持壁９１の外面側には、複数の補強壁９１ａが設けられている。
【００６７】
また、一対の支持壁９１，９１の間には、複数の壁部で囲まれると共に内部が複数の仕切り壁で仕切られた、上方が開口したボックス状の係止部９７が設けられている。なお、係止部９７の上面と、各支持壁９１の係止壁９２との距離は、リンクユニット４０の支持片６１の高さ（底部５１の裏面から係止壁９２の上面までの距離）に適合した長さとされている（図１２参照）。そして、前記一対の支持壁９１，９１、係止壁９２，９２、側壁９３，９３、それらの内面側の凹部、更に、ボックス状の係止部９７によって囲まれた空間が、ベース部５０を受け入れる受入れ部９５をなしている（図９及び図１２参照）。
【００６８】
一方、この実施形態におけるリンクユニット４０は、ベース部５０Ａの構造が、前記実施形態のリンクユニット４０のベース部５０と異なっている。すなわち、図１１に示すように、一対の支持片６１，６１には弾性係合片６５が設けられておらず、ベース部５０Ａの底面５１ａ側、ここでは底部５１の周方向所定位置に、外面に係合突部５６を有する弾性係合片５５が、スリット５５ａを介して撓み可能に形成されている。この弾性係合片５５が形成されたベース部５０Ａの底部５１が、この実施形態での、本発明における「係合部」をなしている。
【００６９】
そして、図９に示すように、リンクユニット４０のベース部５０Ａが、保持部９０の受入れ部９５の開口方向から挿入されると、ベース部５０Ａが係止部９７上に配置されて、その一対の支持片６１，６１が、保持部９０の一対の支持壁９１，９１の内側に配置されると共に（図１２参照）、各支持片６１の側壁６２が、各支持壁９１の側壁９３，９３に当接してベース部５０Ａの挿入規制がなされる（図１４参照）。
【００７０】
更に、ベース部５０Ａの一対の支持片６１，６１の天井壁６３，６３の規制面６３ａ，６３ａ（底面５１ａから離反した面）が、保持部９０の一対の支持壁９１，９１の係止壁９２，９２の規制面９２ａ，９２ａ（設置面７側に向く面）に係止して、設置面７に対して面直方向側に、ベース部５０Ａが抜け止めされる（図１２参照）。すなわち、この実施形態では、ベース部５０Ａの支持片６１の天井壁６３と、保持部９０の支持壁９１の係止壁９２とが、本発明における「抜け止め部」をなしている。また、この実施形態では、図１２に示すように、抜け止め部の「規制面」、すなわち、支持片６１の天井壁６３の規制面６３ａ、及び、支持壁９１の係止壁９２の規制面９２ａは、ロッド２０の天井面２６に一致する位置に設けられている。
【００７１】
更に、ベース部５０Ａの弾性係合片５５の係合突部５６が、係止部９７の内面側周縁に係合して、受入れ部９５の開口からベース部５０Ａが抜け出ないように、ベース部５０Ａが抜け止めされる（図１３参照）。
【００７２】
そして、この実施形態においては、弾性係合片５５は、ベース部５０Ａの底面側に形成され、保持部９０の受入れ部９５に、ベース部５０Ａが挿入されたときに、保持部９０の受入れ部９５の内側に係合して、受入れ部９５からベース部５０Ａを抜け止めするように構成されているので、設置面７の面直方向への抜け止め力が、受入れ部９５によって保持されて、弾性係合片５５にかからないため、設置面７に対してベース部５０Ａをしっかりと抜け止めすることができる。
【００７３】
図１５及び図１６には、本発明に係る開閉体のロック装置の、第３実施形態が示されている。なお、前記実施形態と実質的に同一部分には同符号を付してその説明を省略する。
【００７４】
図１５及び図１６に示すように、この実施形態の開閉体のロック装置１０Ｂ（以下、「ロック装置１０Ｂ」）は、リンクユニット４０のベース部５０Ｂの、設置面７に対する設置向きが異なっている。
【００７５】
すなわち、この実施形態では、リンクユニット４０のベース部５０Ｂの一対の支持片６１，６１の基部側外周面からフランジ部６７が突設されている。そして、ベース部５０Ｂの一対の支持片６１，６１の先端部側を、設置面７側に向けて、一対の支持壁８１，８１の間に挿入することで、一対の支持壁８１，８１の先端部がベース部５０Ｂのフランジ部６７に係止すると共に、一対の弾性係合片６５，６５の係合突部６６，６６の規制面６６ａ，６６ａが、一対の支持壁８１，８１の孔部８５，８５の規制面８５ａ，８５ａに係合して、設置面７に対して面直方向にベース部５０Ｂを抜け止めして取付けることができる。その後、ベース部５０Ｂと設置面７との空隙に、ロッド２０を差し込んで、ベース部５０Ｂに向けて押し込むことで、ロッド２０が回転部材７０に連結される（図１６の矢印参照）。
【００７６】
このように、この実施形態においては、ベース部５０Ｂの底面５１ａが、設置面７とは反対側に向けて設置される。なお、この実施形態の場合、設置面７とベース部５０Ｂとの間に、回転部材７０及び一対のロッド２０，２０が挟み込まれて配置されることとなるので、それらの脱落や外れを効果的に防止することができる。
【００７７】
図１７には、本発明に係る開閉体のロック装置の、第４実施形態が示されている。なお、前記実施形態と実質的に同一部分には同符号を付してその説明を省略する。
【００７８】
図１７に示すように、この実施形態の開閉体のロック装置１０Ｃ（以下、「ロック装置１０Ｃ」）は、開閉体５（固定体１でもよい）の設置面７に設けた保持部８０の、一対の支持壁８１，８１に、スリット８６を介して撓み可能な弾性係合片８７が形成されている。この弾性係合片８７の内面側に、設置面７側に平坦面状の規制面８８ａを有する、係合突部８８が突設されている。一方、ベース部５０Ｃの一対の支持片６１，６１には、弾性係合片８７の係合突部８８が係合する孔部６８が形成されている。
【００７９】
そして、ベース部５０Ｃの底部５１を設置面７に向けて押し込んで、ベース部５０Ｃの一対の支持片６１，６１に、保持部８０の一対の支持壁８１，８１の間に挿入することで、一対の弾性係合片８７，８７の係合突部８８，８８の規制面８８ａ，８８ａが、一対の支持片６１，６１の孔部６８，６８の規制面６８ａ，６８ａに係合して、設置面７に対して面直方向にベース部５０Ｃを抜け止めして取付けることができる。なお、この実施形態の場合、保持部８０の一対の支持壁８１，８１や、リンクユニット４０を覆う、カバー８が設置されている。
【００８０】
図１８には、本発明に係る開閉体のロック装置の、第５実施形態が示されている。なお、前記実施形態と実質的に同一部分には同符号を付してその説明を省略する。
【００８１】
図１８に示すように、この実施形態の開閉体のロック装置１０Ｄ（以下、「ロック装置１０Ｄ」）は、前記第４実施形態に対して、リンクユニット４０のベース部５０Ｄの、設置面７に対する設置向きが異なっている。ベース部５０Ｄの構造は、前記第３実施形態のベース部５０Ｂと類似しているが、一対の支持片６１，６１に、保持部８０側の弾性係合片８７の係合突部８８が入り込む溝部６９，６９が形成されており、その先端側内周面（底面５１ａから離反した面）が、抜け止め部の規制面６９ａをなしている。
【００８２】
そして、ベース部５０Ｄの一対の支持片６１，６１の先端部側を、設置面７側に向けて、一対の支持壁８１，８１の間に挿入することで、一対の支持壁８１，８１の先端部がベース部５０Ｄのフランジ部６７に係止すると共に、一対の弾性係合片８７，８７の係合突部８８，８８の規制面８８ａ，８８ａが、一対の支持片６１，６１の溝部６９，６９の規制面６９ａ，６９ａに係合して、設置面７に対して面直方向にベース部５０Ｄを抜け止めして取付けることができる。
【００８３】
なお、本発明は、上述した実施形態に限定されるものではなく、本発明の要旨の範囲内で、各種の変形実施形態が可能であり、そのような実施形態も本発明の範囲に含まれる。
【符号の説明】
【００８４】
１  固定体
２  開口部
３  ロック部
５  開閉体
７  設置面
１０，１０Ａ，１０Ｂ，１０Ｃ，１０Ｄ  開閉体のロック装置（ロック装置）
２０  ロッド
２６  天井面
２５  付勢バネ
３０  操作ユニット
４０  リンクユニット
５０，５０Ａ，５０Ｂ，５０Ｃ，５０Ｄ  ベース部
５１  底部
５１ａ  底面
５５  弾性係合片
６１  支持片
６５  弾性係合片
７０  回転部材
８０  保持部
８１  支持壁
８５  孔部
８７  弾性係合片
９０  保持部
９１  支持壁
９５  受入れ部
【図１】
2017090545.tif 000003
【図２】
2017090545.tif 000004
【図３】
2017090545.tif 000005
【図４】
2017090545.tif 000006
【図５】
2017090545.tif 000007
【図６】
2017090545.tif 000008
【図７】
2017090545.tif 000009
【図８】
2017090545.tif 000010
【図９】
2017090545.tif 000011
【図１０】
2017090545.tif 000012
【図１１】
2017090545.tif 000013
【図１２】
2017090545.tif 000014
【図１３】
2017090545.tif 000015
【図１４】
2017090545.tif 000016
【図１５】
2017090545.tif 000017
【図１６】
2017090545.tif 000018
【図１７】
2017090545.tif 000019
【図１８】
2017090545.tif 000020
【手続補正書】
【提出日】平成29年6月8日(2017.6.8)
【手続補正１】
【補正対象書類名】特許請求の範囲
【補正対象項目名】全文
【補正方法】変更
【補正の内容】
【特許請求の範囲】
【請求項１】
固定体の開口部に開閉可能に取付けられる開閉体のロック装置であって、
前記固定体の開口部又は開閉体のどちらか一方に設けられたロック部と、
前記固定体又は前記開閉体のどちらか他方に配置され、前記ロック部に係脱する一対のロッドと、
前記ロック部から前記ロッドを係脱操作する操作ユニットと、
該操作ユニットとは別体であって、ベース部、及び、該ベース部に支持部を介して回転可能に支持されると共に、前記一対のロッドが連結される回転部材を有するリンクユニットとを有し、
前記開閉体又は前記固定体は、前記リンクユニットを設置させる設置面を有し、該設置面に前記リンクユニットを保持する保持部が設けられており、
前記ベース部又は前記保持部の一方に、撓み可能な弾性係合片が形成されており、該弾性係合片が、前記ベース部又は前記保持部の他方に係合することで、前記ベース部が前記設置面に設置されており、
前記開閉体又は前記固定体の保持部は、一対の支持壁を有しており、
前記ベース部は、前記一対の支持壁の内側に配置される一対の支持片を有しており、
前記設置面に対して面直方向に前記ベース部を抜け止めするための抜け止め部が前記一対の支持壁及び前記一対の支持片に設けられており、
前記一対のロッドは、前記一対の支持片の内面に当接又は近接して、前記一対の支持片の内側に配置されることを特徴とする開閉体のロック装置。
【請求項２】
前記ベース部は底面を有しており、該底面から、前記回転部材を回転可能に支持する軸部が突設されており、
該軸部に前記回転部材が回転可能に支持され、かつ、前記回転部材に前記一対のロッドが連結された状態で、前記軸部の軸芯方向において、前記ベース部の底面が前記ロッドの底面と対向するように構成されており、
前記設置面に対して面直方向に前記ベース部を抜け止めするための規制面を有する抜け止め部が、前記ベース部の底面以上で、かつ、前記ロッドの天井面以下となる位置に設けられている請求項１記載の開閉体のロック装置。
【請求項３】
前記ベース部の一対の支持片は、前記一対のロッドが、前記回転部材の回転に伴ってスライドするときのガイドをなすように構成されている請求項１又は２記載の開閉体のロック装置。
【請求項４】
前記支持壁に凹部又は孔部が形成されており、
前記弾性係合片は、前記支持片に形成されて、前記凹部又は孔部に係合すると共に、前記一対の支持片の間に配置されるロッドにより、撓みが規制されるように設けられている請求項１〜３のいずれか１つに記載の開閉体のロック装置。
【請求項５】
前記開閉体又は前記固定体の保持部は、前記設置面の面直方向に対して交差する方向から、前記ベース部を受入れる、受入れ部を有しており、
前記弾性係合片は、前記ベース部の底面側に形成されており、前記保持部の受入れ部に、前記ベース部が挿入されたときに、前記保持部の受入れ部の内側に係合して、前記受入れ部から前記ベース部を抜け止めするように構成されている請求項１〜３のいずれか１つに記載の開閉体のロック装置。
【国際調査報告】
2017090545.tif 000021
2017090545.tif 000022